(57)【特許請求の範囲】
【請求項１】
鍵の挿入部が挿入される溝孔を備え、挿入された前記鍵から正当な識別コードを受信した際に、施錠およびまたは解錠の操作を許可する電子シリンダ錠において、
前記溝孔を有し前記鍵により回転操作が行われる内筒と、錠箱内の施解錠機構に連動連結されるテールピースとを、前記正当な識別コードを有した鍵により施錠操作およびまたは解錠操作が行われる際に連結する連結手段と、
施錠およびまたは解錠の操作を行った後に前記内筒が回転される際に、前記連結手段による前記内筒と前記テールピースとの連結状態を解除する連結解除手段と、を具備し、
さらに、前記内筒の溝孔に対し前記鍵の挿入部が挿脱自在な位置を有するとともに、該挿脱自在な位置から一定角度回転した所定位置にて前記鍵による回転を一時停止させる回転停止手段と、
前記回転停止手段にて回転を停止される前記所定位置に配置され、前記鍵の挿入部の検知を行う検知手段と、を具備し、
前記検知手段にて、前記鍵の挿入部の検知が行われると、前記識別コードの受信を行うことを特徴とする電子シリンダ錠。
【請求項２】
前記内筒は、前記鍵の挿入部が挿入される溝孔と、前記連結手段が配置される空間部とが隔壁にて分離構成されていることを特徴とする請求項１記載の電子シリンダ錠。
【請求項３】
前記回転停止手段は、前記挿脱自在な位置に対して、右方向及び左方向の両回転方向にそれぞれ備えられることを特徴とする請求項１又は２に記載の電子シリンダ錠。
【請求項４】
前記鍵の挿入部に突設された抜止片と、鍵の挿入部が前記内筒の前記溝孔内に挿入された状態で前記抜止片が挿入され、鍵の前記回転操作を案内するように内筒が挿入された外筒の端部内周面に形成されたガイド溝と、を有し、ガイド溝の円周方向途中部には、ガイド溝を軸方向奥部に連続させる段部となる前記回転停止手段を構成する規制壁が形成され、段部の軸方向奥部には円周方向にガイド溝が連続形成され、
挿入された鍵を前記回転停止手段を構成する規制壁の位置まで回転させることにより、前記検知手段にて前記識別コードの受信が行われて前記内筒と前記テールピースとを連結状態とし、鍵を規制壁からさらに奥方に押し込み、その後ガイド溝の連続部に沿って回転させることにより内筒とテールピースとを連結状態として施解錠操作をなさしめ得るようにしたことを特徴とする請求項１乃至３のいずれかに記載の電子シリンダ錠。
【発明の詳細な説明】
【０００１】
【発明の属する技術分野】
本発明は、挿入された鍵から使用可能な識別コードを受信した際に、施錠およびまたは解錠の操作を許可する電子シリンダ錠に関するものである。
【０００２】
【従来の技術】
従来、識別コードを記憶させた鍵と、この鍵の正当性を判断して、正当であれば、その鍵の操作部分と、錠本体の施解錠機構とを連動連結させて、その鍵による施錠や解錠の操作を可能とする電子シリンダ錠が特開平８−１５８７１５号公報に開示されている。
この電子シリンダ錠によれば、鍵を挿入部に挿入することで、この挿入部と施解錠機構との連結を可能としており、すなわち、正当な鍵が挿入された場合には、鍵の回動操作が伝達され施解錠の操作を可能とし、正当ではない鍵が挿入された場合には鍵の回動操作が伝達されず施解錠の操作が不可能となっている。そして、挿入部より鍵が抜脱されると、挿入部の内部に配設されるバネの弾性力により施解錠機構との連結状態を解除するようになっている。
【０００３】
【発明が解決しようとする課題】
しかしながら、上述した従来の電子シリンダ錠によれば、挿入部に対して挿脱される鍵により、施解錠機構との連結及び解除が行われるとともに、施解錠の操作後に、再び鍵による操作を必要とする状態、すなわち非連結状態に復帰する機構がバネを用いた構造であり、鍵の挿脱が行われる挿入部内にこのバネが配置されていることから、挿入部内にゴミなどが入り込み、バネの動作に支障が発生すると、非連結状態への復帰が行われないこととなる。すなわち、正当な鍵にて操作を行った後に鍵を抜脱しても施解錠機構との連結状態を解除することができず、その後に挿入される鍵が正当でない鍵であっても施解錠の操作が可能となってしまう不具合があった。また、このような状態では、鍵でないもの、例えばドライバーなどの挿入部に挿入可能な工具などでも施解錠の操作が可能になってしまう問題が発生する。
【０００４】
そこで本発明は、上記問題点を解消するために、鍵による施解錠操作が、正当な鍵に対してのみ行われ、誤動作などの不具合が発生せずに、鍵が抜脱された状態では施解錠機構との連結状態が確実に解除される電子シリンダ錠を提供することを目的としている。
【０００５】
【課題を解決するための手段】
次に、上記の課題を解決するための手段を、実施の形態に対応する図面を参照して説明する。
この発明の電子シリンダ錠１は、鍵６０の挿入部６４が挿入される溝孔１５を備え、挿入された前記鍵６０から正当な識別コードを受信した際に、施錠およびまたは解錠の操作を許可する電子シリンダ錠において、
前記溝孔１５を有し前記鍵６０により回転操作が行われる内筒１０と、錠箱内の施解錠機構に連動連結されるテールピース５０とを、前記正当な識別コードを有した鍵６０により施錠操作およびまたは解錠操作が行われる際に連結する連結手段１８と、
施錠およびまたは解錠の操作を行った後に前記内筒１０が回転される際に、前記連結手段１８による前記内筒１０と前記テールピース５０との連結状態を解除する連結解除手段３３と、
を具備することを特徴としている。
【０００６】
なお、前記内筒１０は、前記鍵６０の挿入部６４が挿入される溝孔１５と、前記連結手段１８が配置される空間部１３とが隔壁にて分離構成されている構成が好ましい。
【０００７】
また、前記内筒１０の溝孔１５に対し前記鍵６０の挿入部６４が挿脱自在な位置を有するとともに、該挿脱自在な位置から一定角度回転した所定位置にて前記鍵６０による回転を一時停止させる回転停止手段６を備え、該回転停止手段６の位置にて前記識別コードの受信を行う構成としてもよく、さらには、前記回転停止手段６にて回転を停止される前記所定位置に、前記鍵６０の挿入部６４の検知を行う検知手段７，６５が配置されていることとしてもよい。
【０００８】
さらに、前記回転停止手段６は、前記挿脱自在な位置に対して、右方向及び左方向の両回転方向にそれぞれ備えられる構成としてもよい。
【０００９】
【発明の実施の形態】
図１は本発明による電子シリンダ錠の実施の形態を示す概略断面図である。
この電子シリンダ錠１は、外筒２と、内筒１０と、テールピース５０と、連結手段１８と、連結解除手段３３とで大略構成されている。
なお、本実施の形態で説明する電子シリンダ錠１は、通常時、鍵孔１４が垂直な状態とされ、この状態から時計回り方向に９０°の回転で施錠およびまたは解錠操作が行われるものとして説明する。
【００１０】
はじめに、この電子シリンダ錠１に用いられる鍵６０について説明する。
鍵６０は、図２（ａ），（ｂ）に示すように、把持部６１と挿入部６４とで略構成され、略板状に形成される。
把持部６１は、内部に小型の電池６２、例えばボタン形の電池が配設されるとともに、この電池６２から電力供給を受けて作動する電子回路６３が配設されている。
電子回路６３は、鍵６０自体の固有の識別コードが記憶されているとともに、後述する送信アンテナ６６へ信号の送信を行う信号発生回路を備えている。
【００１１】
また、挿入部６４には、電子回路６３に接続される検知センサとしてのリードスイッチ６５と、信号発生回路より信号の送信を行う送信アンテナ６６が内蔵されている。なお、この電子回路６３は、通常時、電池６２を電源として作動状態とはならず、リードスイッチ６５により電源が投入されるようになっている。
この挿入部６４は、図２（ａ），（ｂ）に示すように、略矩形板状に形成されるとともに、把持部６１に近接する基部６４ａに、略フランジ状に幅方向外方に延出する抜止片６７が一対設けられている。
【００１２】
次に、電子シリンダ錠１を構成する外筒２は、略円筒状に形成され、錠本体（図示せず）に固定される。
この外筒２の一端２ａは、例えば扉の屋外面に表出し、この電子シリンダ錠１に対して施解錠の操作を行う上記した鍵６０の挿入部６４が貫通する円形の穴部３が形成されている。
【００１３】
この穴部３には、図３の外筒２の展開図に示すように、内周縁部における中心に対して対向する上下一対の切欠４が形成されている。これら切欠４，４間の距離は、鍵６０の挿入部６４における抜止片６７の幅長に設定されて形成され、すなわちこの切欠４，４の位置にて鍵６０の挿入部６４の挿脱が行えるようになっており、挿脱自在位置とされている。
また、この穴部３の内周縁部は、外筒２の軸方向に厚みを有した形状とされ、この内周縁部における周面にガイド溝５が形成されている。
【００１４】
このガイド溝５は、図１（ｂ）に示すように、略Ｚ字状に形成されており、挿脱自在位置である切欠４に連続して形成される。すなわち、内周縁部の周方向に沿って切欠４の位置から約４５°の位置まで真直に凹状の溝５ａが形成され、かつこの４５°の位置からさらに周方向９０°の位置に達する真直な凹状の溝５ｂが形成されて、これら溝の４５°の位置にて軸方向に形成される段部５ｃを介して連続形成されている。
【００１５】
このガイド溝５は、各切欠４にそれぞれ設けられ、すなわち図１（ａ）に示すように対向するように形成され対となって構成される。そして、各切欠４，４より進入する鍵６０の挿入部６４に突設される抜止片６７がこれらガイド溝５，５内を案内されて摺動移動するようになっており、すなわち、このガイド溝５，５内を抜止片６７が移動している最中には、軸方向に鍵６０を抜脱できないようになっている。
【００１６】
なお、これらガイド溝５，５の４５°位置となる段部５ｃは、回転停止手段としての規制壁６を構成する。また、この外筒２には、規制壁６に対応する箇所となる内周面２ｃに位置するとともに、後述する内筒１０の溝孔１５部分に対応する位置に、マグネット７が配設されている。このマグネット７は、鍵６０の挿入部６４のリードスイッチ６５とともに検知手段を構成し鍵６０の回転位置を検知するものである。
【００１７】
また、外筒２の他端２ｂは、外筒２の内径に対しやや小径な内径とされる貫通穴８が穿設され、後述するテールピース５０が回動自在に貫通して配設される。さらに、この外筒２の内周面２ｃには、後述する連結解除手段３３を構成する円筒カム３６が形成されている。この円筒カム３６は、内周面２ｃに対し、凹部３７で形成され、図３の外筒２の展開図に示すように周方向の約９０°の範囲内に形成され、本実施の形態では互いに対向する位置間隔で一対で構成されている。
【００１８】
次に、内筒１０は、外径が外筒２の内径と略同等に形成される略円筒状に形成され、外筒２内に回動可能に設けられ、好ましくは、外筒２の内周面２ｃと僅かなクリアランスを有した状態とされ、内筒外周面１０ｃとこの外筒２の内周面２ｃとの間にグリスなどの潤滑剤を有した状態で、外筒２に対してスムーズに回動可能なように設けられている。
【００１９】
内筒２は、内部の空間において軸方向中央に隔壁１１が形成され、一端１０ａから他端１０ｂにかけて貫通しない形状とされており、一端側の空間部１２と他端側の空間部１３とが分離構成されている。
一端側の空間部１２は、外筒２の一端２ａ側に位置し、端面に略スリット形状の鍵孔１４が穿設され、上記鍵６０の挿入部６４が挿入される溝孔１５を構成している。
この溝孔１５内には、挿入される鍵６０の挿入部６４に干渉しない位置である蒲鉾状空間に、鍵６０の送信アンテナ６６から送信される識別コード等を受信し、後述する連結手段１８に送出する受信アンテナ２０が配設されている。
【００２０】
また、他端側１０ｂの空間部１３には、連結手段１８及び連結解除手段３３が配設されている。
連結手段１８は、電子回路部１９と、制御機構部２２と、連結機構部２６とで略構成されている。
電子回路１９は、例えばループ状に形成される上記受信アンテナ２０が隔壁１１を貫通して接続されているとともに、比較演算手段や駆動信号出力手段、及びこのシリンダ錠に固有の識別コードを記憶する記憶手段よりなる。
【００２１】
また、制御機構部２２は、先端が鉤状に形成され基端が揺動自在となって空間部１３において軸線方向に沿って配設される揺動爪２３と、この揺動爪２３を揺動させるアクチュエータ２４などよりなる。そして、この制御機構部２２は、上記電子回路１９の駆動信号出力手段より送出される信号に基づいてアクチュエータ２４が駆動し、揺動爪２３を揺動させる。
なお揺動爪２３には、捩じりコイルバネなどの付勢部材（図示せず）が設けられており、通常の状態では、この付勢部材の付勢力にて、軸線方向に平行な状態に維持される。
【００２２】
連結機構部２６は、移動ブロック２７と、かみ合いクラッチ３２とで略構成される。
移動ブロック２７は、内筒１０の他端側の空間部１３内を軸線方向に摺動移動可能に設けられ、例えば略円柱状に形成される。
【００２３】
移動ブロック２７の一方の端面２７ａには、略中央に先端が鉤状に形成される係合爪２８が軸線方向に突設されている。この係合爪２８は、揺動爪２３と係合するようになっている。
また、この移動ブロック２７の一方の端面２７ａと隔壁１１との間には圧縮コイルスプリングよりなる付勢部材２９が配設される。この付勢部材２９により、移動ブロック２７は、常に内筒１０の他端側１０ｂに付勢されるようになっている。
【００２４】
移動ブロック２７の他方の端面には、中心に、軸体３１が軸線方向に延設され、この軸体３１の先端にかみ合いクラッチ３２の一方が配設されている。
このかみ合いクラッチ３２は、例えば、一対の円板の互いに向き合う面に矩形歯が周方向に連続形成され、互いに向き合う各歯が噛み合うことで連動連結が行われるもので、一方のクラッチ板３２ａが移動ブロック２７の軸体３１に連結され、他方のクラッチ板３２ｂが後述するテールピース５０に設けられる。
【００２５】
また、この移動ブロック２７の中心に対して１８０°の位置関係となる各側面には、それぞれ外方に延出する一対のピン３４，３４が設けられている。
これらピン３４，３４は、内筒１０の周壁に形成される一対のガイドスリット３５，３５を貫通し、各先端が内筒１０の外周面１０ｃより突出する。各ガイドスリット３５，３５は軸線方向に平行な真直に形成され、各ピン３４，３４を軸線方向と同方向にスライド移動自在に支持し、すなわち移動ブロック２７の内筒１０内における軸線方向の移動の案内を行うようになっている。
【００２６】
そして、これらピン３４，３４は、前述した外筒内周面２ｃに形成される凹部よりなる円筒カム３６とで連結解除手段３３を構成する。
この円筒カム３６を詳述すると、図３の外筒２の展開図に示すように、内周面２ｃにおける周方向Ｒの９０°の間に連続形成される凹部３７よりなるとともに、上記各ピン３４に対応して対向する一対で構成され、これらピン３４の先端部が嵌入する深さに設定され形成されている。これら凹部３７の形状は、図３に示すように小幅部３９と大幅部４１とを斜辺部４３で連結する略台形状に形成されており、外筒２の一端２ａに形成される切欠４に対応する位置からガイド溝１５と同等長さの周方向Ｒの約９０°の範囲内に形成される。各凹部３７の小幅部３９は、外筒２の一端２ａに形成される切欠４と軸線方向Ｓで対応した位置となり、この小幅部３９から、外筒２の他端側２に拡幅形成されるように斜辺部４３が連続形成され、そして大幅部４１と小幅部３９とが斜辺部４３にて連続形成されており、軸線方向Ｓに対し直交する周方向Ｒと同方向な長短一対の真直な辺部４５，４７が有し、長辺４５側が外筒２の一端側２ａに位置し、短辺側４７が他端側２ｂに位置する。また、短辺４７の周方向Ｒの距離は、約４５°の間隔距離とされ、斜辺部４３の周方向の距離も約４５°の間隔距離とされる。そして、この凹部３７よりなる円筒カム３６は、長辺４５と短辺４７との軸線方向Ｓの間隔がストロークであり、短辺４７側がかみ合いクラッチ３２を連結させる位置となり、長辺側４５が連結を解除状態とする位置となる。
そして、この凹部３７内にて上記ピン３４の先端が移動自在とされるとともに、各辺部４３，４５、４７に摺動自在となる。
【００２７】
次に、テールピース５０は、略円板状に形成されるとともに、一方の板面には、前述した連結手段を構成するかみ合いクラッチ３２の他方のクラッチ板３２ｂが形成され、他方の板面には所定形状の連結部５１が突出形成されている。
このテールピース５０は、外筒２の他端側２ｂ内部に、周縁を回動自在に保持されて設けられ、この他端２ｂに穿設される貫通穴８に連結部５１が貫通して軸方向の外方に突出する。
そして、このテールピース５０の連結部５１は、図示しない施解錠機構に連動連結されており、すなわちこのテールピース５０の回転により、錠本体を構成するデッドボルト等のロック部材の進退を行う所定の部材に連結されている。
【００２８】
次に、この電子シリンダ錠１の動作について説明する。
まず、鍵６０が挿入されていない状態で、錠本体が施錠状態若しくは解錠状態であるときには、図５に示すように、かみ合いクラッチ３２は互いに噛み合ってない状態で、内筒１０とテールピース５０とは連結が解除された状態となっており、係合爪２８と揺動爪２３とが係合状態とされ、移動ブロック２７の各ピン３４は、円筒カム３６の小幅部３９に位置した状態とされる。
【００２９】
次に、錠本体の施錠状態から解錠する際、若しくは解錠状態から施錠する際には、まず図４に示すように、鍵６０を内筒１０の溝孔１５に挿入する。
鍵６０の挿入部６４が溝孔１５内に挿入されると、挿入部６４に突出される抜止片６７は外筒２の切欠４よりガイド溝５内に進入される状態となる。
この状態では、内筒１０内の連結手段１８などは作動せず、図６に示すように、内筒１０とテールピース５０とが連結状態とはならない。
【００３０】
次に、鍵６０を回転させると、鍵６０の抜止片６７が、外筒２のガイド溝５に案内されて摺動移動する。本実施の形態では、図７中時計回り方向に回転させる。このとき、抜止片６７がガイド溝５内を通ることから、鍵６０は軸方向の抜脱が不可能となる。
【００３１】
鍵６０の回転が４５°に達すると、抜止片６７がガイド溝５内の規制壁６に当接し、図７に示すように、鍵６０の回転が一時停止される。
すると、この位置に対応して外筒２に設けられたマグネット７により、鍵６０の挿入部６４内に配設されたリードスイッチ６５がこれを検知し、鍵６０内の回路６３を通電状態、すなわち作動状態にする。これにより、鍵６０内の電子回路６３は、記憶されている識別コードを含んだ信号を送信コイルから発信する。
【００３２】
内筒１０の溝孔１５内の受信アンテナ２０は、この発信された信号を受信することで、電源が供給され内筒１０の空間部１３内の電子回路１９が起動するとともに、その発信信号に含まれる識別コードを受信する。
【００３３】
使用される鍵６０から発信され受信される識別コードは、内筒１０内の電子回路１９に記憶されている識別コードとの比較が行われ、この内筒１０内に記憶されている識別コードと合致し正しい場合には、この電子シリンダ錠１に対して正当な鍵６０であることとなる。
電子回路１９は、鍵６０が正当なものであると判断すると、駆動信号をアクチュエータ２４に出力する。アクチュエータ２４は、駆動信号を受信すると作動し、揺動爪２３を揺動させる。
【００３４】
揺動爪２３が揺動すると、係合爪２８との係合状態を解くこととなり、これにより移動ブロック２７が付勢部材２９の付勢力により内筒１０の他端１０ｂ方向に移動する。
移動ブロック２７が移動すると、図７に示すように、かみ合いクラッチ３２の一方と他方のクラッチ板３２ａ，３２ｂが互いにかみ合い、すなわち、内筒１０とテールピース５０とが連結状態となり、鍵６０と施解錠機構とが連動連結状態となる。
また同時に、移動ブロック２７に突設される各ピン３４が軸方向に移動し、円筒カム３６の大幅部４１の短辺側４７に移動する。
なお、アクチュエータ２４は、揺動爪２３の揺動を一度行い、係合爪２８との係合状態を解いた後は、作動が終了され、揺動爪２３は付勢部材の付勢力により軸線方向に平行な状態に復帰する。
【００３５】
次に、鍵６０をさらに４５°回転、即ち、鍵６０を挿入した位置から９０°回転させるが、鍵６０の抜止片６７がガイド溝５内の規制壁６に当接状態であるので、この鍵６０を、さらにやや奥方に挿し込み、その後４５°図８中時計回り方向に回転させる。
この状態においては、上記したように鍵６０と施解錠機構部とが、内筒１０とテールピース５０との連結状態を介して回転操作されることとなり、すなわち、この鍵６０の回転操作にて、デッドボルトなどのロック部材の進出若しくは後退の動作が行われる。
このとき、移動ブロック２７の各ピン３４は、図８に示すように、円筒カム３６の短辺側４７を周方向に移動することとなる。
そして、錠本体は、解錠、または施錠となる。
【００３６】
次に、この状態から鍵６０を抜脱するには、鍵６０の抜止片６７がガイド溝５内にあることから、この鍵６０を逆方向（図９中反時計回り方向）に回転させることとなる。
鍵６０を逆方向（反時計回り方向）に回転させると、図９に示すように、まず、４５°の回転が行われる。
この動作時には、鍵６０の抜止片６７がガイド溝５内を移動し、同時に各ピン３４が円筒カム３６の短辺部分４７に沿って周方向に移動する。すなわち移動ブロック２７が移動しないことから、かみ合いクラッチ３２は互いに噛み合った状態である。
【００３７】
次に、上記４５°の位置では、規制壁６がガイド溝５内にあることから、鍵６０をやや引き抜く方向に移動させ、鍵６０の抜止片６７をガイド溝５に沿わせ、その後さらに鍵６０を反時計回り方向に回転させる。
このとき、各ピン３４が円筒カム３６の斜辺部４３に沿って移動を行い、これにより、移動ブロック２７は付勢部材２９の付勢力に抗して内筒１０の他端側１０ｂから隔壁１１側（一端側１０ａ）に移動される。同時に、互いに噛み合っているかみ合いクラッチ３２は、そのかみ合い状態から離脱方向となり、すなわちテールピース５０と内筒１０との連結状態が解除される。
【００３８】
そして、図１０に示すように、鍵６０の回転が、鍵６０を挿入した位置にまで戻されると、各ピン３４は小幅部３９に戻り、また、移動ブロック２７の係合爪２８が揺動爪２３と係合し、初期の位置に復帰される。
その後、鍵６０を引き抜くことで、操作が終了する。
【００３９】
次に、この電子シリンダ錠１に対し、正当でない鍵６０が用いられた場合では、鍵６０が溝孔１５に挿入されて、上記同様に４５°回転させ、図１１に示すように、規制壁６の位置で一時停止されると、鍵６０内の電子回路より、識別コードが送信され、内筒１０内では、この識別コードが受信される。
【００４０】
内筒１０内の電子回路２０にて、鍵６０の識別コードが正当でないと判断されると、アクチュエータ２４に対して駆動信号が発信されない。
これにより、揺動爪２３と係合爪２８との係合状態は解除されず、移動ブロック２７は内筒１０内を移動しないこととなる。
【００４１】
移動ブロック２７が移動しない状態であっても、鍵６０はガイド溝５に沿って抜止片６７を移動させることで、さらに４５°回転（鍵の挿入位置から９０°の回転）が可能であるが、図１２に示すように、かみ合いクラッチ３２は噛み合わず、各ピン３４も円筒カム３６の長辺部４５に沿って移動となる。
すなわち、正当でない鍵６０の場合には、内筒１０とテールピース５０との連結が行われないまま回動することとなり、空転状態となる。
これにより、施解錠機構は動作されることがなく、不正な解錠などの操作が確実に無効となる。
【００４２】
また、使用する鍵６０が、外形状が酷似した電子回路６３を備えていない鍵の場合であっても、鍵６０の回転操作は行えるが、内筒１０内の電子回路１９が働くことがないことから、内筒１０とテールピース５０とは連結されることがなく、その鍵による施解錠の操作は無効となり、不正な解錠操作等が防止できる。
【００４３】
従ってこのように構成された電子シリンダ錠１では、正当な鍵６０を使用して施解錠の操作が連結手段１８の作動にて行われた後に、鍵６０を抜脱するためにその鍵６０を回動操作すると、連結解除手段３３であるピン３４と円筒カム３６により内筒１０とテールピース５０との連結状態を機械的に解除してしまうため、鍵６０による操作が行われない通常の状態では、常に鍵６０側と施解錠機構とが非連結状態となり、施錠装置として安全性が確保できることとなる。
【００４４】
また、内筒１０の内部に隔壁１１を備える構造とし、鍵６０が挿脱される溝孔１５と、内筒１０とテールピース５０との連結を行う連結手段１８を構成する機構部分とを分離構成したので、ゴミが溝孔１５内に侵入しても、この溝孔１５内では機械的動作がなく、非接触型の電気的結合のみであり、ゴミによって動作不良を発生させるなどの不具合がなく、誤動作の発生を防ぐことができる。
【００４５】
さらに、鍵６０の正当性を判別する箇所を、鍵６０を挿入する位置から一定角度回転させた位置とし、この位置にて鍵６０の回転を物理的に一時停止させる構造としたので、この一時停止位置である規制壁６の位置にて、鍵６０と内筒１０内との各電子回路１９，６３の連携が可能となり、すなわち、識別コードの送受信のための通信時間の確保や、鍵６０からの電源供給のための時間を確保することができ、確実に、鍵６０の正当性を判断でき、その後の施解錠の操作を確実なものとすることが可能となる。
【００４６】
また、この鍵６０の回転の一位停止位置に検知手段であるマグネット７を配置構成したことにより、識別コードなどの送受信のタイミングを得ることができ、上記実施の形態のように、マグネット７とリードスイッチ６５との組合せの構成によれば、回路自体の電源のオンオフを管理でき、鍵６０に内蔵される電池６２の消耗を防ぐことが可能となる。
【００４７】
なお、上述した実施の形態では、外筒２に対する内筒１０の回転方向が、時計回り方向の一方向の構成として説明したが、逆の反時計回り方向でもよく、さらには、両方向に回転可能な構成としてもよい。このような両方向の回転にて内筒１０とテールピース５０との連結を行える構成とすれば、このシリンダ錠側で、施錠と解錠の機構的連結構造を得られる。
【００４８】
また、上述した実施の形態では、連結手段１８にかみ合いクラッチ３２やアクチュエータ２４による構造を用いた例について示したが、これらの構成に限定されることはなく、内筒１０内の電子回路１９より発信される駆動制御信号にて直接アクチュエータ２４を駆動しテールピース５０との連結を行う構成や、電磁クラッチ機構を用いる構成など、電気信号から機械的動作を行う構造であれば、その他の機構としてもよい。
【００４９】
さらに、連結解除手段３３においても、上述した実施の形態の構成に限ることはなく、施解錠の動作後に鍵６０を回転させると、内筒１０とテールピース５０との連結状態を解除する構造であれば、その他の構成でよく、例えば、鍵６０の回転を戻す際に、上記の実施の形態では、４５°位置に戻すことから、鍵６０からの電源供給が可能であり、その電源を利用して、別構成のアクチュエータ等を利用し、連結状態の内筒１０とテールピース５０とを解除させてしまう構成としてもよい。
【００５０】
また、上述した実施の形態では、鍵６０の内部に電源としての電池６２を備える構成とした例について述べたが、内筒１０や外筒２、錠本体側などに電源を持つ構成としてもよい。この場合、鍵６０側の電池６２の消耗を考慮しなくてもよくなり、鍵６０の構成として、識別コードを備える構造のみで構成することが可能となり、簡素な構成とすることができる。
【００５１】
さらに、上述した実施の形態では、鍵６０の回転角度を、約４５°位置と約９０°位置として構成し、４５°位置にて回転を一時停止させる規制壁６（回転停止手段）を備えた構成とした例として示したが、この回転の停止箇所である回転角度の位置はこれに限定されることはなく、例えば１５°位置にて一時停止させ、その位置にて識別コードの判別を行い、４５°位置までの回転で施解錠機構の操作が行われるなどの構成としてもよい。
【００５２】
また、上述した実施の形態では、鍵６０による施解錠操作における、鍵６０の溝孔１５からの抜脱操作時に、４５°位置にてやや引き抜く操作を必要とする構成とされているが、この抜脱操作時の鍵６０を引き抜くストロークはガイド溝５内の段部とされる短尺なものであることから、内筒１０の溝孔１５奥方に、ゴミによる動作不良の起きにくい弾性部材、例えば、半球状のゴム部材や、球面形状の板バネなどを配置することで、挿入される鍵の挿入部に対し反発力を発生させることが可能となり、これにより、鍵の抜脱操作を容易に行わせることが可能となる。
【００５３】
【発明の効果】
以上説明したように本発明による電子シリンダ錠によれば、正当な鍵を使用して施解錠の操作が連結手段の作動にて行われた後に、鍵を抜脱するためにその鍵を回動操作すると、連結解除手段により内筒とテールピースとの連結状態を解除してしまうため、鍵による操作が行われない通常の状態では、常に主操作側である鍵側と操作対象側である施解錠機構とが非連結状態となり、施錠装置として安全性が確保できることとなる。
【００５４】
また、内筒の内部に隔壁を備える構造とし、鍵が挿脱される溝孔と、内筒とテールピースとの連結を行う連結手段を構成する機構部分等とを分離構成したので、ゴミが溝孔内に侵入しても、この溝孔内では機械的な動作等がなく非接触型の電気的結合のみであり、ゴミによって動作不良を発生させるなどの不具合がなく、誤動作の発生を防ぐことができる。
【００５５】
さらに、鍵の正当性を判別する箇所を、鍵を挿入する位置から一定角度回転させた位置とし、この位置にて鍵の回転を物理的に一時停止させる構造としたので、この一時停止位置である回転停止手段の位置にて、鍵と内筒内との各電子回路の連携が可能となり、すなわち、識別コードの送受信のための通信時間の確保や、鍵からの電源供給のための時間を確保することができ、確実に、鍵の正当性を判断でき、その後の施解錠の操作を確実なものとすることが可能となる。
【００５６】
また、上記した鍵の回転の一位停止位置に検知手段を配置構成したことにより、識別コードなどの送受信のタイミングを得ることができ、例えば、マグネットとリードスイッチとの組合せの構成とすれば、回路自体の電源のオンオフを管理でき、鍵に内蔵される電池の消耗を防ぐことが可能となる。
【００５７】
さらに、鍵の回転の一時停止位置を、鍵の挿脱可能な位置に対して、左右両方向の一定角度回転位置にそれぞれ設ける構成とすることで、施錠操作と解錠操作とを個別に動作可能な機構とすることができ、施解錠装置としての確実な操作状態を得られることとなる。
【図面の簡単な説明】
【図１】（ａ）本発明による電子シリンダ錠の一実施の形態を示す概略正面図
（ｂ）同側断面図
【図２】（ａ）同電子シリンダ錠に用いられる鍵の概略側面図
（ｂ）同平面図
【図３】同電子シリンダ錠を構成する外筒の展開図
【図４】同電子シリンダ錠の施解錠動作を説明する説明図
【図５】同電子シリンダ錠の施解錠動作を説明する説明図
【図６】同電子シリンダ錠の施解錠動作を説明する説明図
【図７】同電子シリンダ錠の施解錠動作を説明する説明図
【図８】同電子シリンダ錠の施解錠動作を説明する説明図
【図９】同電子シリンダ錠の施解錠動作を説明する説明図
【図１０】同電子シリンダ錠の施解錠動作を説明する説明図
【図１１】同電子シリンダ錠の施解錠動作を説明する説明図
【図１２】同電子シリンダ錠の施解錠動作を説明する説明図
【符号の説明】
１…電子シリンダ錠
６…回転停止手段（規制壁）
１０…内筒
１１…隔壁
１３…空間部
１５…溝孔
１８…連結手段
３３…連結解除手段
５０…テールピース
６０…鍵
６４…挿入部
【図１】
0004343401.tif 000002
【図２】
0004343401.tif 000003
【図３】
0004343401.tif 000004
【図４】
0004343401.tif 000005
【図５】
0004343401.tif 000006
【図６】
0004343401.tif 000007
【図７】
0004343401.tif 000008
【図８】
0004343401.tif 000009
【図９】
0004343401.tif 000010
【図１０】
0004343401.tif 000011
【図１１】
0004343401.tif 000012
【図１２】
0004343401.tif 000013